(57)【要約】【課題】連続して入力される信号の増幅または減衰が可能であるとともに、広い利得可変範囲及び高い線形性を実現することが出来る可変利得増幅回路およびそれを用いた受信回路を提供する。【解決手段】本発明の可変利得増幅回路では、増幅トランジスタのゲートに入力される信号のレベルを低くする（図１（ａ）の状態（Ａ）〜（Ｄ））ために、第１可変利得増幅部の利得が最小になったとき、第２可変利得増幅部が備える第１抵抗および第２抵抗にバイアス電圧を印加する。【選択図】図１
2012253685.tif 000002
【特許請求の範囲】
【請求項１】
外部から入力される信号を増幅する際の利得を変更可能である第１可変利得増幅部及び第２可変利得増幅部を備え、上記第１可変利得増幅部の利得の最大値は、上記第２可変利得増幅部の利得の最大値より高く、上記第１可変利得増幅部の利得の最小値は、上記第２可変利得増幅部の利得の最小値より高い可変利得増幅回路であって、
上記第１可変利得増幅部および上記第２可変利得増幅部は、それぞれ、
上記信号がゲートに入力される増幅トランジスタを複数有するトランジスタ群と、
各トランジスタ群の一方の上記増幅トランジスタのゲートに一端が接続され、他端にバイアス電圧が印加される第１抵抗と、
各トランジスタ群の他方の上記増幅トランジスタのゲートに一端が接続され、他端に上記バイアス電圧が印加される第２抵抗とを備え、
上記第１可変利得増幅部の利得が最小になったとき、上記第２可変利得増幅部が備える上記第１抵抗および上記第２抵抗に、上記バイアス電圧を印加することを特徴とする可変利得増幅回路。
【請求項２】
外部から入力される信号を増幅する際の利得を変更可能である第１可変利得増幅部及び第２可変利得増幅部を備え、上記第１可変利得増幅部の利得の最大値は、上記第２可変利得増幅部の利得の最大値より高く、上記第１可変利得増幅部の利得の最小値は、上記第２可変利得増幅部の利得の最小値より高い可変利得増幅回路であって、
上記第１可変利得増幅部および上記第２可変利得増幅部は、それぞれ、
上記信号がゲートに入力される増幅トランジスタを複数有するトランジスタ群と、
各トランジスタ群の一方の上記増幅トランジスタのゲートに一端が接続され、他端にバイアス電圧が印加される第１抵抗と、
各トランジスタ群の他方の上記増幅トランジスタのゲートに一端が接続され、他端に上記バイアス電圧が印加される第２抵抗とを備え、
上記第２可変利得増幅部の利得が最大になったとき、上記第１可変利得増幅部が備える上記第１抵抗および上記第２抵抗に、上記バイアス電圧を印加することを特徴とする可変利得増幅回路。
【請求項３】
上記第１可変利得増幅部及び上記第２可変利得増幅部によって増幅された増幅後信号のレベルと所定値とを比較する比較回路と、
上記増幅後信号のレベルが上記所定値より大きいとき、上記第２可変利得増幅部の利得を下げる自動利得制御回路とを備えることを特徴とする請求項１に記載の可変利得増幅回路。
【請求項４】
上記第１可変利得増幅部及び上記第２可変利得増幅部によって増幅された増幅後信号のレベルと所定値とを比較する比較回路と、
上記増幅後信号のレベルが上記所定値より小さいとき、上記第１可変利得増幅部の利得を上げる自動利得制御回路とを備えることを特徴とする請求項２に記載の可変利得増幅回路。
【請求項５】
上記第１可変利得増幅部及び上記第２可変利得増幅部は、それぞれ、
上記複数の増幅トランジスタのソースが互いに接続されており、
一端が上記ソースに接続されているスイッチ回路を、上記トランジスタ群毎に備えており、
入力が、全ての上記スイッチ回路の他端に接続され、出力が、電気的に接地される電流源をさらに備えていることを特徴とする請求項１〜４のいずれか１項に記載の可変利得増幅回路。
【請求項６】
直流電圧を除去する容量である直流電圧除去容量をさらに備え、
上記信号は、上記直流電圧除去容量を介して上記第１可変利得増幅部に入力されることを特徴とする請求項１〜５のいずれか１項に記載の可変利得増幅回路。
【請求項７】
上記信号を減衰する容量減衰器をさらに備え、
上記信号は、上記容量減衰器を介して上記第２可変利得増幅部に入力されることを特徴とする請求項１〜６のいずれか１項に記載の可変利得増幅回路。
【請求項８】
上記容量減衰器は、一端に上記信号が入力され、他端が、上記第２可変利得増幅部の入力に接続される容量である減衰容量を備えることを特徴とする請求項７に記載の可変利得増幅回路。
【請求項９】
上記信号は差動信号であり、
上記第２可変利得増幅部は差動構成であって、上記信号が入力される第１入力端子及び第２入力端子を有し、
上記容量減衰器は、減衰量が可変である可変容量減衰器であって、
上記可変容量減衰器は、
ゲートに制御信号が入力されるスイッチングトランジスタと、
一端が、上記スイッチングトランジスタのソースに接続され、他端が、上記第１入力端子に接続されている第１容量と、
一端が、上記スイッチングトランジスタのドレインに接続され、他端が、上記第２入力端子に接続されている第２容量とを備えていることを特徴とする請求項８に記載の可変利得増幅回路。
【請求項１０】
上記信号は差動信号であり、
上記第２可変利得増幅部は差動構成であって、上記信号が入力される第１入力端子及び第２入力端子を有し、
上記容量減衰器は、減衰量が可変である可変容量減衰器であって、
上記可変容量減衰器は、
互いに接続されたゲートに制御信号が入力される２つのスイッチングトランジスタからなるトランジスタスイッチと、
一端が、上記トランジスタスイッチにおける一方のソースに接続され、他端が、上記トランジスタスイッチにおける他方のソースに接続される第３容量と、
一端が、前段の上記第３容量の一端に接続され、他端が、上記第３容量の一端に接続される第４容量と、
一端が、前段の上記第３容量の他端に接続され、他端が、上記第３容量の他端に接続される第５容量とを備えるとともに、
上記トランジスタスイッチにおける一方のドレインは、上記第１入力端子に接続され、
上記トランジスタスイッチにおける他方のドレインは、上記第２入力端子に接続されることを特徴とする請求項８に記載の可変利得増幅回路。
【請求項１１】
上記信号の周波数は、４０メガヘルツ以上であることを特徴とする請求項１〜１０のいずれか１項に記載の可変利得増幅回路。
【請求項１２】
請求項１〜１１のいずれか１項に記載の可変利得増幅回路を備えることを特徴とする受信回路。
【発明の詳細な説明】
【技術分野】
【０００１】
本発明は、半導体素子を用いて構成する広い利得可変幅を有する可変利得増幅器に係るものであり、特に、入力信号が受信状況により大きく変化する無線通信機器の実現に有効な可変利得増幅器および通信機器に関するものである。
【背景技術】
【０００２】
ケーブルや電波を用いたテレビ放送のチューナのような広帯域の無線通信機器は、高い線形性を持つ可変利得増幅回路（歪の小さい可変利得増幅回路）を必要とする。何故ならば、強い信号（信号強度が高い信号）が入力されたときに、チャンネル間相互において変調が妨害されることを抑制するためである。
【０００３】
このような可変利得増幅回路が、特許文献１において開示されている。特許文献１の可変利得増幅回路は、図１５に示すように、２つの増幅トランジスタからなるトランジスタ差動対を複数備え（Ｍ０、Ｍ１、・・・、Ｍｋ−１）、それぞれのトランジスタ差動対において電流を導通または遮断する。
【０００４】
これにより、可変利得増幅回路に流れる電流値（トランジスタ差動対に流れる電流値）は一定のままで、トランジスタ幅を変化させる。こうすることで、高い線形性を実現しながら、利得の可変を実現している。
【０００５】
ここで、通信機器に入力される信号の強度（レベル）は、受信状況によって大きく変化する（変動する）。このため、可変利得増幅回路の利得可変範囲（利得可変幅）を大きくする必要がある。
【０００６】
しかし、図１５に示す可変利得増幅回路（単位回路と称する）だけでは、利得可変範囲が不足する。
【０００７】
そこで、利得可変範囲が大きい可変利得増幅回路を構成するための方法の一例が、非特許文献１に記載されている。非特許文献１によれば、１つの単位回路で利得の可変を実現する場合よりも利得可変範囲を大きくするために、複数のトランジスタ差動対を備えて利得の可変を行う単位回路を複数備えるとともに、複数の単位回路それぞれに対して容量減衰器を接続する。
【０００８】
このような構成とすることで、利得可変範囲をより大きくして（より広くして）、１つの単位回路では実現することが出来ない利得可変範囲を実現することが出来る。また、容量減衰器は、抵抗で実現する抵抗減衰器に比べて熱雑音の発生量が少ない。このため、容量減衰器は、低雑音の可変利得増幅回路に対して有効である。
【先行技術文献】
【特許文献】
【０００９】
【特許文献１】特開２００２−３３００３９号公報（２００２年１１月１５日公開）
【非特許文献】
【００１０】
【非特許文献１】"A digital terrestrial television (ISDB-T) tuner for mobile applications" IEEE ISSCC Dig. Tech. papers, 2004 pp278-279.
【発明の概要】
【発明が解決しようとする課題】
【００１１】
上記した従来の技術を組み合わせて、高い線形性を維持した上で利得可変範囲が広い可変利得増幅回路を実現したとする。そして、この可変利得増幅回路に入力する信号の強度が、受信状況によって大きく変化（変動）した場合を考える。
【００１２】
この場合、受信状況によって大きく変化した信号強度に応じて、可変利得増幅回路の利得を変化させる必要がある。一例として、入力される信号の強度が受信状況によって大きくなり、可変利得増幅回路の利得を小さくする場合の動作を記載する。
【００１３】
可変利得増幅回路の利得を小さくする場合、可変利得増幅回路を構成するトランジスタ差動対の利得ｉ〔ｄＢ〕を順に小さくしていくが、増幅トランジスタの利得が０ｄＢになってもさらに利得を下げる必要があるとする。利得ｉについて、ｉ＝０、１、２・・・ｋ−１（ｋは１以上の整数）である。
【００１４】
図１６は従来の可変利得増幅回路１０１ａ，１０１ｂの全体構成であって、（ａ）はシングルエンドで構成した場合の可変利得増幅回路１０１ａ、（ｂ）は差動で構成した場合の可変利得増幅回路１０１ｂを示すブロック図である。ここでは一例として、図１６（ｂ）で示される差動構成の可変利得増幅回路１０１ｂについて説明する。
【００１５】
まず、受信状況に応じて設定される利得が大きい場合を考える。この場合、差動で構成される端子ＩＮから入力される信号は、ＤＣ電圧を除去する容量１０４を介した後、単位回路１０２を通して増幅されて、端子ＯＵＴから出力されるものとする。
【００１６】
一方、受信状況に応じて設定される利得が小さい場合を考える。この場合、差動で構成される端子ＩＮから入力される信号は、複数の容量を含む容量減衰器１１１にて減衰した後、単位回路１０３を通して増幅されて、端子ＯＵＴから出力される。
【００１７】
単位回路１０２および１０３は、同一の回路であっても異なる回路でも構わない。単位回路１０２及び１０３の回路構成例を図１７に示す。
【００１８】
単位回路１０２及び１０３では、それぞれ、２つの増幅トランジスタのソース同士を接続して構成されたトランジスタ差動対が、ｋ個用意されている（Ｍ０〜Ｍｋ−１）。トランジスタ差動対Ｍ０〜Ｍｋ−１のそれぞれにおいて、差動で構成されるゲートには、差動の信号が入力される。
【００１９】
この時、単位回路１０２及び１０３において、トランジスタ差動対Ｍ０〜Ｍｋ−１が導通する状態（ｋ個の状態）を用いることで、単位回路１０２および１０３はそれぞれ、利得をｋ個設定することが出来るようになる。
【００２０】
トランジスタ差動対Ｍ０〜Ｍｋ−１それぞれについての導通または遮断は、スイッチ回路Ｓｗ０〜Ｓｗｋ−１を設けることで実現されている。一例として、単位回路２のスイッチ回路Ｓｗ０を遮断することにより、単位回路１０２のトランジスタ差動対Ｍ０を遮断することが出来る。
【００２１】
スイッチ回路Ｓｗ０〜Ｓｗｋ−１の接続について説明すると、スイッチ回路Ｓｗ０〜Ｓｗｋ−１の一端は、トランジスタ差動対を構成する２つの増幅トランジスタにおいて互いに接続されているソースに接続されている。スイッチ回路Ｓｗ０〜Ｓｗｋ−１の一端は、一定電流源の入力に接続されている。一定電流源は、１つの単位回路に対して１つ設けられている。そして、一定電流源の出力の全ては、電気的に接地されている。
【００２２】
受信中に入力される信号の強度が、受信状況によって大きく変化する場合に、可変利得増幅回路１０１ｂにおいて利得を徐々に小さくしていく場合の動作を、順に説明する。
【００２３】
受信信号の強度が高いと判定されると、可変利得増幅回路１０１ｂは利得の急激な変化をさけるために、単位回路２が備えるＳｗｋ−１からＳｗ０までのスイッチ回路を、徐々に遮断する。
【００２４】
これにより、トランジスタ差動対Ｍｋ−１〜Ｍ０の電流が徐々に遮断されることで、単位回路１０２内が備えている増幅トランジスタの総トランジスタ幅が小さくなり、単位回路１０２としての利得が小さくなる（図１８の状態（Ａ））。
【００２５】
ここで、単位回路１０２においてスイッチ回路Ｓｗ０のみが導通し、単位回路１０２としては最小の利得になったとする。この場合、単位回路１０３には電流が流れていないので、単位回路１０３による信号の増幅は行われない（図１８の状態（Ｂ））。
【００２６】
次に、単位回路１０２のスイッチ回路Ｓｗ０のみが導通しているときの利得でも大きくて、受信中に入力される信号をさらに減衰させる必要があるとする。
【００２７】
この場合、単位回路１０２が備えるスイッチ回路Ｓｗ０を遮断し、トランジスタ差動対Ｍ０の電流を遮断する。これと同時に、単位回路１０３が備える全てのスイッチ回路Ｓｗ０〜Ｓｗｋ−１を導通させる（図１８の状態（Ｃ））。
【００２８】
このとき、状態（Ｂ）から状態（Ｃ）に移ると同時に、単位回路１０３内が備える全ての増幅トランジスタのゲート端子に、バイアス電圧が印加される。これにより、容量減衰器１１１に電荷が溜まるまでの時間を要し、所望のバイアス状態になるまで電流が遮断される。
【００２９】
このため、図１６は従来の可変利得増幅回路では、結果として図１８の信号遮断期間に示すように受信信号が途切れてしまい、テレビ放送のような連続して入力される信号を受信している時に信号が遮断されることになる。このため、テレビ映像が途切れてしまうという課題があった。
【００３０】
なお、状態（Ｄ）は、状態（Ｃ）から、スイッチ回路を徐々に遮断していった時の状態を示している。
【００３１】
本発明は、上記従来の問題点に鑑みなされたものであって、その目的は、連続して入力される信号の増幅または減衰が可能であるとともに、広い利得可変範囲及び高い線形性を実現することが出来る可変利得増幅回路を提供することにある。
【課題を解決するための手段】
【００３２】
本発明の可変利得増幅回路は、上記課題を解決するために、外部から入力される信号を増幅する際の利得を変更可能である第１可変利得増幅部及び第２可変利得増幅部を備え、上記第１可変利得増幅部の利得の最大値は、上記第２可変利得増幅部の利得の最大値より高く、上記第１可変利得増幅部の利得の最小値は、上記第２可変利得増幅部の利得の最小値より高い可変利得増幅回路であって、上記第１可変利得増幅部および上記第２可変利得増幅部は、それぞれ、上記信号がゲートに入力される増幅トランジスタを複数有するトランジスタ群と、各トランジスタ群の一方の上記増幅トランジスタのゲートに一端が接続され、他端にバイアス電圧が印加される第１抵抗と、各トランジスタ群の他方の上記増幅トランジスタのゲートに一端が接続され、他端に上記バイアス電圧が印加される第２抵抗とを備え、上記第１可変利得増幅部の利得が最小になったとき、上記第２可変利得増幅部が備える上記第１抵抗および上記第２抵抗に、上記バイアス電圧を印加することを特徴とする。
【００３３】
上記発明によれば、上記第１可変利得増幅部の利得が最小になったとき、上記第２可変利得増幅部が備える上記第１抵抗および上記第２抵抗に、上記バイアス電圧を印加する。
【００３４】
これにより、増幅トランジスタのバイアス電圧が定常状態になるまでの不安定なバイアス状態の期間を無くすことが出来るので、上記第１可変利得増幅部を停止させた瞬間に、上記第２可変利得増幅部による利得の低下が可能となり、２つの可変利得増幅部の切り替えに伴って上記信号が途切れることが無くなる。
【００３５】
よって、テレビ放送のような連続して入力される信号が入力されても、テレビ映像が途切れてしまうことが無い。
【００３６】
また、利得を変更可能である可変利得増幅部を２つ備えているので、広い利得可変範囲及び高い線形性を実現することが出来る。
【００３７】
従って、連続して入力される信号の増幅または減衰が可能であるとともに、広い利得可変範囲及び高い線形性を実現することが出来る可変利得増幅回路を提供することが出来る。
【００３８】
本発明の可変利得増幅回路は、上記課題を解決するために、外部から入力される信号を増幅する際の利得を変更可能である第１可変利得増幅部及び第２可変利得増幅部を備え、上記第１可変利得増幅部の利得の最大値は、上記第２可変利得増幅部の利得の最大値より高く、上記第１可変利得増幅部の利得の最小値は、上記第２可変利得増幅部の利得の最小値より高い可変利得増幅回路であって、上記第１可変利得増幅部および上記第２可変利得増幅部は、それぞれ、上記信号がゲートに入力される増幅トランジスタを複数有するトランジスタ群と、各トランジスタ群の一方の上記増幅トランジスタのゲートに一端が接続され、他端にバイアス電圧が印加される第１抵抗と、各トランジスタ群の他方の上記増幅トランジスタのゲートに一端が接続され、他端に上記バイアス電圧が印加される第２抵抗とを備え、上記第２可変利得増幅部の利得が最大になったとき、上記第１可変利得増幅部が備える上記第１抵抗および上記第２抵抗に、上記バイアス電圧を印加することを特徴とする。
【００３９】
上記発明によれば、上記第２可変利得増幅部の利得が最大になったとき、上記第１可変利得増幅部が備える上記第１抵抗および上記第２抵抗に、上記バイアス電圧を印加する。
【００４０】
これにより、増幅トランジスタのバイアス電圧が定常状態になるまでの不安定なバイアス状態の期間を無くすことが出来るので、上記第２可変利得増幅部を停止させた瞬間に、上記第１可変利得増幅部によって利得を高くすることが可能となり、可変利得増幅部の切り替えに伴って上記信号が途切れることが無くなる。
【００４１】
よって、テレビ放送のような連続して入力される信号が入力されても、テレビ映像が途切れてしまうことが無い。
【００４２】
また、利得を変更可能である可変利得増幅部を２つ備えているので、広い利得可変範囲及び高い線形性を実現することが出来る。
【００４３】
従って、連続して入力される信号の増幅または減衰が可能であるとともに、広い利得可変範囲及び高い線形性を実現することが出来る可変利得増幅回路を提供することが出来る。
【００４４】
上記可変利得増幅回路では、上記第１可変利得増幅部及び上記第２可変利得増幅部によって増幅された増幅後信号のレベルと所定値とを比較する比較回路と、
上記増幅後信号のレベルが上記所定値より大きいとき、上記第２可変利得増幅部の利得を下げる自動利得制御回路とを備えてもよい。
【００４５】
これにより、上記増幅後信号レベルの判定、上記第２可変利得増幅部の利得の制御を行うことが出来る。
【００４６】
上記可変利得増幅回路では、上記第１可変利得増幅部及び上記第２可変利得増幅部によって増幅された増幅後信号のレベルと所定値とを比較する比較回路と、上記増幅後信号のレベルが上記所定値より小さいとき、上記第１可変利得増幅部の利得を上げる自動利得制御回路とを備えてもよい。
【００４７】
これにより、上記増幅後信号レベルの判定、上記第１可変利得増幅部の利得の制御を行うことが出来る。
【００４８】
上記可変利得増幅回路では、上記第１可変利得増幅部及び上記第２可変利得増幅部は、それぞれ、上記複数の増幅トランジスタのソースが互いに接続されており、一端が上記ソースに接続されているスイッチ回路を、上記トランジスタ群毎に備えており、入力が、全ての上記スイッチ回路の他端に接続され、出力が、電気的に接地される電流源をさらに備えていてもよい。
【００４９】
上記スイッチ回路を、適切に導通または遮断することにより、上記増幅トランジスタのドレインから出力信号を出力することが出来る。
【００５０】
上記可変利得増幅回路では、直流電圧を除去する容量である直流電圧除去容量をさらに備え、上記信号は、上記直流電圧除去容量を介して上記第１可変利得増幅部に入力されてもよい。これにより、上記第１可変利得増幅部に入力される上記信号において、直流電圧を除去することが出来る。
【００５１】
上記可変利得増幅回路では、上記信号を減衰する容量減衰器をさらに備え、上記信号は、上記容量減衰器を介して上記第２可変利得増幅部に入力されてもよい。これにより、上記第２可変利得増幅部単体では実現することが出来ない利得可変範囲を実現することが出来る。
【００５２】
また、容量減衰器は、抵抗で実現する抵抗減衰器に比べて熱雑音の発生量が少ない。このため、容量減衰器は、低雑音の可変利得増幅回路に対して有効である。
【００５３】
上記可変利得増幅回路では、上記容量減衰器は、一端に上記信号が入力され、他端が、上記第２可変利得増幅部の入力に接続される容量である減衰容量を備えてもよい。これにより、入力される上記信号の減衰と、上記直流電圧の除去とを行うことが出来る。
【００５４】
上記可変利得増幅回路では、上記信号は差動信号であり、上記第２可変利得増幅部は差動構成であって、上記信号が入力される第１入力端子及び第２入力端子を有し、上記容量減衰器は、減衰量が可変である可変容量減衰器であって、上記可変容量減衰器は、ゲートに制御信号が入力されるスイッチングトランジスタと、一端が、上記スイッチングトランジスタのソースに接続され、他端が、上記第１入力端子に接続されている第１容量と、一端が、上記スイッチングトランジスタのドレインに接続され、他端が、上記第２入力端子に接続されている第２容量とを備えてもよい。
【００５５】
上記スイッチングトランジスタを適切にＯＮまたはＯＦＦすることにより、上記可変容量減衰器の合成静電容量を変化させて、上記可変容量減衰器の減衰量を可変させることが出来る。
【００５６】
上記可変利得増幅回路では、上記信号は差動信号であり、上記第２可変利得増幅部は差動構成であって、上記信号が入力される第１入力端子及び第２入力端子を有し、上記容量減衰器は、減衰量が可変である可変容量減衰器であって、上記可変容量減衰器は、互いに接続されたゲートに制御信号が入力される２つのスイッチングトランジスタからなるトランジスタスイッチと、一端が、上記トランジスタスイッチにおける一方のソースに接続され、他端が、上記トランジスタスイッチにおける他方のソースに接続される第３容量と、一端が、前段の上記第３容量の一端に接続され、他端が、上記第３容量の一端に接続される第４容量と、一端が、前段の上記第３容量の他端に接続され、他端が、上記第３容量の他端に接続される第５容量とを備えるとともに、上記トランジスタスイッチにおける一方のドレインは、上記第１入力端子に接続され、上記トランジスタスイッチにおける他方のドレインは、上記第２入力端子に接続されてもよい。
【００５７】
上記トランジスタスイッチを適切にＯＮまたはＯＦＦすることにより、上記可変容量減衰器の合成静電容量を変化させて、上記可変容量減衰器の減衰量を可変させることが出来る。
【００５８】
上記可変利得増幅回路では、上記信号の周波数は、４０メガヘルツ以上であってもよい。これにより、上記可変利得増幅回路の構成を、テレビ映像等の連続した信号を受信するために好適な構成とすることが出来る。
【００５９】
本発明の受信回路は、上記いずれかの可変利得増幅回路を備えているので、連続して入力される信号の増幅または減衰が可能であるとともに、高い線形性を実現することが出来る。
【発明の効果】
【００６０】
本発明の可変利得増幅回路は、以上のように、第１可変利得増幅部および第２可変利得増幅部は、それぞれ、信号がゲートに入力される増幅トランジスタを複数有するトランジスタ群と、各トランジスタ群の一方の上記増幅トランジスタのゲートに一端が接続され、他端にバイアス電圧が印加される第１抵抗と、各トランジスタ群の他方の上記増幅トランジスタのゲートに一端が接続され、他端に上記バイアス電圧が印加される第２抵抗とを備え、上記第１可変利得増幅部の利得が最小になったとき、上記第２可変利得増幅部が備える上記第１抵抗および上記第２抵抗に、上記バイアス電圧を印加するものである。
【００６１】
また、本発明の可変利得増幅回路は、以上のように、第１可変利得増幅部および第２可変利得増幅部は、それぞれ、信号がゲートに入力される増幅トランジスタを複数有するトランジスタ群と、各トランジスタ群の一方の上記増幅トランジスタのゲートに一端が接続され、他端にバイアス電圧が印加される第１抵抗と、各トランジスタ群の他方の上記増幅トランジスタのゲートに一端が接続され、他端に上記バイアス電圧が印加される第２抵抗とを備え、上記第２可変利得増幅部の利得が最大になったとき、上記第１可変利得増幅部が備える上記第１抵抗および上記第２抵抗に、上記バイアス電圧を印加するものである。
【００６２】
それゆえ、連続して入力される信号の増幅または減衰が可能であるとともに、広い利得可変範囲及び高い線形性を実現することが出来る可変利得増幅回路およびそれを用いた受信回路を提供するという効果を奏する。
【図面の簡単な説明】
【００６３】
【図１】本発明の実施形態に係る可変利得増幅回路における、端子ＯＵＴの信号出力レベルの説明図であり、（ａ）は、本発明の実施形態に係る可変利得増幅回路における、端子ＯＵＴの信号出力レベルを示す波形図であり、（ｂ）は、従来の可変利得増幅回路における端子ＯＵＴの信号出力レベルである。
【図２】本発明の実施形態に係る可変利得増幅回路の全体構成を示すブロック図であって、（ａ）はシングルエンドで構成した場合の可変利得増幅回路のブロック図、（ｂ）は差動で構成した場合の可変利得増幅回路のブロック図である。
【図３】本発明の実施形態に係る単位回路の回路構成例を示す回路図である。
【図４】図１（ａ）の状態（Ａ）を説明するための回路図である。
【図５】図１（ａ）における状態（Ｂ）から状態（Ｃ）への移行を説明するための回路図である。
【図６】図１（ａ）の状態（Ｃ）を説明するための回路図である。
【図７】図１（ａ）の状態（Ｄ）を説明するための回路図である。
【図８】図１２の状態（Ｅ）を説明するための回路図である。
【図９】図１２における状態（Ｆ）から状態（Ｇ）への移行を説明するための回路図である。
【図１０】図１２の状態（Ｇ）を説明するための回路図である。
【図１１】図１２の状態（Ｈ）を説明するための回路図である。
【図１２】本発明の他の実施形態に係る可変利得増幅回路における、端子ＯＵＴの信号出力レベルの説明図であり、本発明の他の実施形態に係る可変利得増幅回路における、端子ＯＵＴの信号出力レベルを示す波形図である。
【図１３】本発明のさらに別の実施形態に係る容量減衰器を示す回路図である。
【図１４】本発明のさらに別の実施形態に係る容量減衰器を示す回路図である。
【図１５】特許文献１の可変利得増幅回路を示す回路図である。
【図１６】従来の可変利得増幅回路の全体構成であって、（ａ）はシングルエンドで構成した場合の可変利得増幅回路、（ｂ）は差動で構成した場合の可変利得増幅回路を示すブロック図である。
【図１７】単位回路の回路構成例を示す回路図である。
【図１８】従来の可変利得増幅回路における端子ＯＵＴの信号出力レベルの説明図であり、従来の可変利得増幅回路における端子ＯＵＴの信号出力レベルを示す波形図である。
【発明を実施するための形態】
【００６４】
本発明の一実施形態について図１〜図７に基づいて説明すれば、以下の通りである。
【００６５】
〔実施形態１〕
図２は、本実施形態に係る可変利得増幅回路１０ａ，１０ｂの全体構成を示すブロック図である。図２（ａ）はシングルエンドで構成した場合の可変利得増幅回路１０ａのブロック図、図２（ｂ）は差動で構成した場合の可変利得増幅回路１０ｂのブロック図である。
【００６６】
ここでは一例として、図２（ｂ）で示される差動構成の可変利得増幅回路１０ｂについて説明するが、シングルエンドで構成した場合の可変利得増幅回路１０ａについても同様の説明が出来ることは、言うまでも無い。
【００６７】
本実施形態に係る可変利得増幅回路１０ａ，１０ｂは、利得を変更可能であるが、まず、受信状況に応じて設定される利得が大きい場合を考える。この場合、差動で構成される端子ＩＮから入力される信号は、ＤＣ（Direct Current）電圧を除去する容量群４’を介した後、単位回路２（第１可変利得増幅部）を通して増幅されて、端子ＯＵＴから出力されるものとする。容量群４’は、容量４ａ，４ｂ（直流電圧除去容量）を含む。
【００６８】
なお、上記信号の周波数は、４０ＭＨｚ（メガヘルツ）以上であってもよい。これにより、可変利得増幅回路１０ａ，１０ｂの構成を、テレビ映像等の連続した信号を受信するために好適な構成とすることが出来る。
【００６９】
一方、受信状況に応じて設定される利得が小さい場合を考える。この場合、差動で構成される端子ＩＮから入力される信号は、容量１１ａ，１１ｂ，Ｃ０を含む容量減衰器１１にて減衰した後、単位回路３（第２可変利得増幅部）を通して増幅されて、端子ＯＵＴから出力される。
【００７０】
単位回路２，３は、同一の回路であっても異なる回路でも構わない。図３は、本実施形態に係る単位回路２及び３の回路構成例を示す回路図である。
【００７１】
単位回路２及び３では、それぞれ、複数（例えば２つ）の増幅トランジスタのソース同士を接続して構成されたトランジスタ差動対（トランジスタ群）が、ｋ個用意されている（トランジスタ差動対Ｍ０〜Ｍｋ−１、複数のトランジスタ差動対）。トランジスタ差動対Ｍ０〜Ｍｋ−１のそれぞれにおいて、差動で構成されるゲートには、差動の信号が入力される。
【００７２】
この時、単位回路２及び３において、トランジスタ差動対Ｍ０〜Ｍｋ−１が導通する状態（ｋ個の状態）を用いることで、単位回路２，３はそれぞれ、利得をｋ個設定することが出来るようになる。
【００７３】
トランジスタ差動対Ｍ０〜Ｍｋ−１それぞれについての導通または遮断は、スイッチ回路Ｓｗ０〜Ｓｗｋ−１を設けることで実現されている。スイッチ回路Ｓｗ０〜Ｓｗｋ−１は、上記トランジスタ差動対毎に設けられている。一例として、単位回路２のスイッチ回路Ｓｗ０を遮断することにより、単位回路２のトランジスタ差動対Ｍ０を遮断することが出来る。
【００７４】
スイッチ回路Ｓｗ０〜Ｓｗｋ−１の接続について説明すると、スイッチ回路Ｓｗ０〜Ｓｗｋ−１の一端は、トランジスタ差動対を構成する２つの増幅トランジスタにおいて互いに接続されているソースに接続されている。スイッチ回路Ｓｗ０〜Ｓｗｋ−１の一端は、一定電流源の入力に接続されている。一定電流源は、１つの単位回路に対して１つ設けられており、単位回路２に対応する一定電流源が一定電流源Ｉ３１（電流源）、単位回路３に対応する一定電流源が一定電流源Ｉ３２（電流源）である。そして、一定電流源の出力の全ては、電気的に接地されている。
【００７５】
（可変利得増幅回路の動作）
ここでは一例として、図４〜図７を用いて、受信中に入力される信号の強度（レベル）が、受信状況において大きく変化する（変動する）。この場合において、可変利得増幅回路１０ｂにて利得を徐々に小さくしていく場合の動作を説明する。
【００７６】
まず、図４で示される可変利得増幅回路１０ｂについて、単位回路２で受信している信号の強度（レベル）は、単位回路２，３の後段に設けられたＡＧＣ回路５０ａ（自動利得制御回路）によりモニタされている。モニタの結果、単位回路２で受信している信号の強度が高い（大きい）と、可変利得増幅回路１０ｂは、単位回路２が備えるスイッチ回路をＳｗｋ−１からＳｗ０まで、徐々に遮断（切断）する。強度の比較については後述する。
【００７７】
各スイッチ回路を徐々に遮断する理由は、利得の急激な変化をさけるためである。
【００７８】
トランジスタ差動対Ｍｋ−１〜Ｍ０の電流が遮断されることで、単位回路２が備えるトランジスタであって、トランジスタ差動対Ｍｋ−１〜Ｍ０を構成するトランジスタである増幅トランジスタの総トランジスタ幅が小さくなる。よって、利得が低下する（図１（ａ）の状態（Ａ））。
【００７９】
次に、図５で示される可変利得増幅回路１０ｂでは、単位回路２においてスイッチ回路Ｓｗ０のみが導通して、単位回路２の利得が最小となっている。
【００８０】
ここで、単位回路２の利得が最小になったと同時に、単位回路３が備えるトランジスタ差動対Ｍｋ−１〜Ｍ０のゲート端子に、バイアス電圧Ｖ１２を印加する（図１（ａ）における状態（Ａ）から状態（Ｂ）への移行）。
【００８１】
この場合、単位回路３には、電流が流れていない。何故ならば、単位回路３は、トランジスタ差動対Ｍｋ−１〜Ｍ０のゲート端子に、バイアス電圧Ｖ１２が印加されているだけであるとともに、全てのスイッチ回路Ｓｗｋ−１〜Ｓｗ０が遮断されているためである。
【００８２】
従って、図５で示される可変利得増幅回路１０ｂでは、単位回路３において信号増幅は行われない。
【００８３】
次に、単位回路２のスイッチ回路Ｓｗ０のみが導通しているときの利得でも大きくて、単位回路２で受信している信号をさらに減衰する必要があるとする。
【００８４】
この場合、図６に示されるように、単位回路２のスイッチ回路Ｓｗ０を遮断して、単位回路２の全てのスイッチ回路を遮断する。場合によっては、一定電流源Ｉ３１もＯＦＦする。これにより、低消費電力化に貢献することが出来る。
【００８５】
こうすることで、トランジスタ差動対０の電流を含む、トランジスタ差動対Ｍｋ−１〜Ｍ０の電流は遮断される。しかしこの時点では、トランジスタ差動対Ｍｋ−１〜Ｍ０のゲートに印加されているバイアス電圧Ｖ１１は、そのまま印加された状態に維持しておく。
【００８６】
そして、単位回路２が備える全てのトランジスタ差動対Ｍｋ−１〜Ｍ０の電流が遮断されるのと同時に、単位回路３が備える全てのスイッチ回路Ｓｗ０〜Ｓｗｋ−１を導通させる（図１（ａ）の状態（Ｃ））。
【００８７】
このとき、状態（Ｂ）から状態（Ｃ）に移行する前に、単位回路３が備える増幅トランジスタのゲート端子には、前もってバイアス電圧Ｖ１２が印加されている。
【００８８】
このため、容量減衰器１１に電荷が溜まるまでの時間が節約できる。即ち、次に使用する単位回路３を使用する前に容量減衰器１１の電荷をためることが出来る。これにより、増幅トランジスタのバイアス電圧が定常状態になるまでの不安定なバイアス状態の期間を無くすことが出来る。
【００８９】
このことから、信号波形が図１８で示される従来の可変利得増幅回路のように、瞬間的に増幅トランジスタの電流が途切れることが無くなる。従って、可変利得増幅回路１０ｂで受信している信号が途切れることが無くなる。
【００９０】
その後、単位回路３が備えるスイッチ回路の内、スイッチ回路Ｓｗｋ−１だけが遮断されると、単位回路２において、トランジスタ差動対Ｍｋ−１〜Ｍ０のゲートに印加されているバイアス電圧Ｖ１１はＯＦＦされる（図１（ａ）の状態（Ｄ））。
【００９１】
上述した状態（Ａ）から状態（Ｄ）に変化した場合の信号の時間変化は図１（Ａ）にしめされるようになる。よって、図１８と同一の図面である図１（ｂ）に示されるように、状態（Ｂ）から状態（Ｃ）に移行する間における信号の途切れが無くなる。
【００９２】
（単位回路）
本実施形態に係る単位回路２，３はそれぞれ以下の部材を備えている。
【００９３】
即ち、単位回路２または単位回路３は、上記トランジスタ差動対を構成し、ソースが互いに接続されている２つの増幅トランジスタを備えている。
【００９４】
また、上記トランジスタ差動対１つに対して１つ設けられ、一端が、上記ソースに接続されるスイッチ回路を、上記トランジスタ差動対の数だけ備えている。
【００９５】
さらに、入力が、全ての上記スイッチ回路の他端に接続され、出力が、電気的に接地される電流源とを備えている。
【００９６】
上記スイッチ回路を、適切に導通または遮断することにより、上記増幅トランジスタのドレインから出力信号を出力することが出来る。
【００９７】
（容量減衰器）
本実施形態に係る容量減衰器１１について、トランジスタ差動対に入力される信号は、当該信号を減衰する容量減衰器１１を介して単位回路３に入力されてもよい。これにより、単位回路３単体では実現することが出来ない利得可変範囲を実現することが出来る。
【００９８】
また、本実施形態に係る容量減衰器１１一端に上記信号が入力され、他端が、上記第２可変利得増幅部の入力に接続される容量である容量１１ａ，１１ｂ（減衰容量）を備えてもよい。これにより、入力される信号の減衰と、ＤＣ電圧の除去とを行うことが出来る。
【００９９】
（バイアス電圧Ｖ１１，Ｖ１２）
本実施形態に係るバイアス電圧は、以下に示すように印加される。
【０１００】
まず、差動で構成されている入力の一方（各トランジスタ差動対の一方の上記増幅トランジスタのゲート）に、抵抗Ｒ１１（第１抵抗）の一端を接続する。同様に、差動で構成されている入力の他方（各トランジスタ差動対の他方の上記増幅トランジスタのゲート）に、抵抗Ｒ１２（第２抵抗）の一端を接続する。抵抗Ｒ１１の他端と抵抗Ｒ１２の他端とが接続された点である接続点に、バイアス電圧が印加される。単位回路２であれば、上記接続点にバイアス電圧Ｖ１１が印加され、単位回路３であれば、上記接続点にバイアス電圧Ｖ１２が印加される。
【０１０１】
抵抗Ｒ１１，Ｒ１２を設けることで、高周波信号成分が単位回路２，３に影響を及ぼすことを防いでいる。単位回路２，３とは、即ち、バイアス電圧Ｖ１１，Ｖ１２が与えられる回路である。
【０１０２】
（信号の強度の比較）
信号の強度の比較は、ＲＳＳＩ回路５０ｂ（Received Signal Strength Indicator:受信信号強度表示判定回路、比較回路）とＡＧＣ（Automatic Gain Control：自動利得制御回路）回路５０ａとを接続したものにより行われる。
【０１０３】
ＲＳＳＩ回路５０ｂは、単位回路２及び単位回路３によって増幅された増幅後信号ＳＡのレベルと所定値とを比較する。
【０１０４】
ＡＧＣ回路５０ａは、上述したモニタの他に、以下の利得制御を行う。即ち、ＡＧＣ回路５０ａは、増幅後信号ＳＡのレベルが上記所定値より大きいとき、単位回路３の利得を下げる。また、ＡＧＣ回路５０ａは、増幅後信号ＳＡのレベルが上記所定値より小さいとき、単位回路２の利得を上げる。
【０１０５】
単位回路２，３において、バイアス電圧Ｖ１１，Ｖ１２が印加されるが、バイアス電圧Ｖ１１，Ｖ１２は、図２に示されるＫビットの線を介して供給されてもよい。
【０１０６】
また、Ｋビットの線は、図２に示されるようにＡＧＣ回路５０ａから延伸していてもよく、可変利得増幅回路１０ｂの外部から延伸していてもよい。
【０１０７】
利得の判断基準については、システムによって異なるため、特に限定されない。一例として、本実施形態１では、単位回路２の利得の最小値から、単位回路３の利得の最大値に移行する際には、単位回路２で受信している信号の強度が、最大強度（１００％）の５０％に達したら切替るようにする。これにより、可変利得増幅回路１０ｂにヒステリシス特性を持たせて、動作が不安定になることを防いでいる。
【０１０８】
（利得の最小値・最大値）
なお、単位回路２の利得範囲である第１利得範囲の最小値は、特に限定されない。第１利得範囲の最小値は、例えば、第２利得範囲の最大値よりもわずかに上回っていても、下回っていてもよい。また、第１利得範囲の最小値は、第２利得範囲の最大値よりもわずかに上回るように作成してもよい。
【０１０９】
〔実施形態２〕
本発明の他の実施形態について図８〜図１２に基づいて説明すれば、以下の通りである。なお、本実施形態２において説明すること以外の構成は、上記実施形態１と同じである。また、説明の便宜上、上記実施形態１の図面に示した部材と同一の機能を有する部材については、同一の符号を付し、その説明を省略する。
【０１１０】
本実施形態２では、図８〜図１１を用いて、受信中に入力される信号の強度（レベル）が、受信状況において大きく変化する（変動する）場合において、可変利得増幅回路１０ｂにて利得を徐々に大きくしていく場合の動作を説明する。
【０１１１】
まず、図８で示される可変利得増幅回路１０ｂについて、単位回路３で受信している信号の強度（レベル）は、ＡＧＣ回路（自動利得制御回路、不図示）によりモニタされている。モニタの結果、単位回路３で受信している信号の強度が低い（小さい）と、可変利得増幅回路１０ｂは、単位回路３が備えるスイッチ回路をＳｗ０からＳｗｋ−１まで、徐々に導通させる。
【０１１２】
各スイッチ回路を徐々に導通させる理由は、利得の急激な変化をさけるためである。
【０１１３】
トランジスタ差動対Ｍ０〜Ｍｋ−１の電流が流れることで、単位回路３が備えるトランジスタであって、トランジスタ差動対Ｍ０〜Ｍｋ−１を構成するトランジスタである増幅トランジスタの総トランジスタ幅が大きくなる。よって、利得が大きくなる（図１２の状態（Ｅ））。
【０１１４】
次に、図９で示される可変利得増幅回路１０ｂでは、単位回路３において全てのスイッチ回路Ｓｗｋ−１〜Ｓｗ０が導通して、単位回路３の利得が最大となっている。
【０１１５】
ここで、単位回路３の利得が最大になったと同時に、単位回路２が備えるトランジスタ差動対Ｍｋ−１〜Ｍ０のゲート端子に、バイアス電圧Ｖ１１を印加する（図１２における状態（Ｅ）から状態（Ｆ）への移行）。
【０１１６】
この場合、単位回路２には、電流が流れていない。何故ならば、単位回路２は、トランジスタ差動対Ｍｋ−１〜Ｍ０のゲート端子に、バイアス電圧Ｖ１１が印加されているだけであるとともに、全てのスイッチ回路Ｓｗｋ−１〜Ｓｗ０が遮断されているためである。
【０１１７】
従って、図９で示される可変利得増幅回路１０ｂでは、単位回路２において信号増幅は行われない。
【０１１８】
次に、単位回路３の全てのスイッチ回路Ｓｗｋ−１〜Ｓｗ０が導通しているときの利得でも小さくて、単位回路３で受信している信号をさらに増幅する必要があるとする。
【０１１９】
この場合、図１０に示されるように、単位回路３が備える全てのスイッチ回路Ｓｗｋ−１〜Ｓｗ０を遮断する。場合によっては、一定電流源Ｉ３２もＯＦＦする。これにより、低消費電力化に貢献することが出来る。
【０１２０】
こうすることで、トランジスタ差動対Ｍｋ−１〜Ｍ０の電流は遮断される。しかしこの時点では、トランジスタ差動対Ｍｋ−１〜Ｍ０のゲートに印加されているバイアス電圧Ｖ１２は、そのまま印加された状態に維持しておく。
【０１２１】
そして、単位回路３が備える全てのスイッチ回路Ｓｗｋ−１〜Ｓｗ０が遮断されるのと同時に、単位回路２が備えるスイッチ回路Ｓｗ０を導通させる（図１２の状態（Ｇ））。
【０１２２】
このとき、状態（Ｆ）から状態（Ｇ）に移行する前に、単位回路２が備える増幅トランジスタのゲート端子には、前もってバイアス電圧Ｖ１１が印加されている。
【０１２３】
このため、ＤＣ電圧を除去する容量群４’の容量４ａ，４ｂに電荷が溜まるまでの時間が節約できる。このことから、信号波形が図１８で示される従来の可変利得増幅回路のように、瞬間的に増幅トランジスタの電流が途切れることが無くなる。従って、可変利得増幅回路１０ｂで受信している信号が途切れることが無くなる。
【０１２４】
その後、単位回路２が備えるスイッチ回路Ｓｗ０およびＳｗ１が導通すると、単位回路３のバイアス電圧Ｖ１２はＯＦＦされる（図１２の状態（ｈ））。
【０１２５】
上記した状態（Ｅ）から状態（Ｈ）に変化した場合の出力信号の時間変化は、図１２のようになり、状態（Ｆ）から状態（Ｇ）に移行する間における信号の途切れが無くなる。
【０１２６】
〔実施形態３〕
本発明のさらに別の実施形態について図１３に基づいて説明すれば、以下の通りである。なお、本実施形態３において説明すること以外の構成は、上記実施形態１，２と同じである。また、説明の便宜上、上記実施形態１，２の図面に示した部材と同一の機能を有する部材については、同一の符号を付し、その説明を省略する。
【０１２７】
本実施形態３では、図１３を用いて、容量減衰器１１の第一構成例について説明する。
【０１２８】
容量減衰器１１の第一構成例である可変容量減衰器１１＿３では、差動で構成される単位回路３の入力に、常に導通する容量Ｃ０を備えている。
【０１２９】
また、可変容量減衰器１１＿３では、一方の容量Ｃｍ（ｍ＝１、２〜ｋ）、ゲートに制御信号が入力されるスイッチングトランジスタＳｍ（ｍ＝１、２〜ｋ）、及び他方の容量Ｃｍ（ｍ＝１、２〜ｋ）を、直列接続する。これにより構成された容量切替回路５ｍ（ｍ＝１、２〜ｋ）を、差動で構成される単位回路３の入力間に接続する。
【０１３０】
従って、容量減衰器１１が備える容量である、容量１１ａ，１１ｂ，Ｃ０による減衰後の利得がまだ大きくて、さらに減衰する必要がある場合、順にスイッチングトランジスタＳｍを導通させて、合成容量（合成静電容量）を大きくする。これにより、減衰量を増加させる（可変させる）ことが出来る。
【０１３１】
以上のように、本実施形態３に係る可変容量減衰器１１＿３では、上記信号は差動信号であり、単位回路３は差動構成であって、上記信号が入力される第１入力端子及び第２入力端子を有する。また、可変容量減衰器１１＿３は、ゲートに制御信号が入力されるスイッチングトランジスタＳｍを備える。また、一端が、スイッチングトランジスタＳｍのソースに接続され、他端が、上記第１入力に接続されている一方の容量Ｃｍ（第１容量）を備える。さらに、一端が、スイッチングトランジスタＳｍのドレインに接続され、他端が、上記第２入力に接続されている他方の容量Ｃｍ（第２容量）を備える。
【０１３２】
スイッチングトランジスタＳｍを適切にＯＮまたはＯＦＦすることにより、可変容量減衰器１１＿３の合成静電容量を変化させて、可変容量減衰器１１＿３の減衰量を可変させることが出来る。
【０１３３】
〔実施形態４〕
本発明のさらに別の実施形態について図１４に基づいて説明すれば、以下の通りである。なお、本実施形態４において説明すること以外の構成は、上記実施形態１〜３と同じである。また、説明の便宜上、上記実施形態１〜３の図面に示した部材と同一の機能を有する部材については、同一の符号を付し、その説明を省略する。
【０１３４】
本実施形態４では、図１４を用いて、容量減衰器１１の第ニ構成例について説明する。
【０１３５】
容量減衰器１１の第ニ構成例である可変容量減衰器１１＿４では、差動で構成される単位回路３の入力に、常に導通する容量Ｃ０を備えている。
【０１３６】
ここで、可変容量減衰器１１＿４は、容量Ｃｍａ（第３容量、ｍ＝１、２〜ｋ）と、容量Ｃｍｂ（第４容量、ｍ＝１、２〜ｋ）と、容量Ｃｍｃ（第５容量、ｍ＝１、２〜ｋ）と、容量Ｃｍａと同数のトランジスタスイッチＳｍ’を備えている。容量Ｃｍａ，Ｃｍｂ，Ｃｍｃについては後述する。
【０１３７】
ここで、本実施形態４に係る可変容量減衰器１１＿４では、上記信号は差動信号であり、単位回路３は差動構成であって、上記信号が入力される第１入力端子及び第２入力端子を有する。また、可変容量減衰器１１＿４は、互いに接続されたゲートに制御信号が入力される２つのスイッチングトランジスタからなるトランジスタスイッチＳｍ’を備えている。
【０１３８】
また、一端が、トランジスタスイッチＳｍ’における一方のソースに接続され、他端が、トランジスタスイッチＳｍ’における他方のソースに接続される容量Ｃｍａを備えている。もよい。
【０１３９】
さらに、一端が、前段の容量Ｃｍａの一端に接続され、他端が、容量Ｃｍａの一端に接続される容量Ｃｍｂを備えている。
【０１４０】
さらに、一端が、前段の容量Ｃｍａの他端に接続され、他端が、容量Ｃｍａの他端に接続される容量Ｃｍｃとを備えている。
【０１４１】
そして、トランジスタスイッチＳｍ’における一方のドレインは、上記第１入力に接続され、トランジスタスイッチＳｍ’における他方のドレインは、上記第２入力に接続されている。
【０１４２】
従って、容量減衰器１１が備える容量である、容量１１ａ，１１ｂ，Ｃ０による減衰後の利得がまだ大きくて、さらに減衰する必要がある場合、順にトランジスタスイッチＳｍ’を導通させて、合成容量（合成静電容量）を大きくする。これにより、減衰量を増加させる（可変させる）ことが出来る。
【０１４３】
（適用例）
本発明の受信回路は、上記いずれかの可変利得増幅回路を備えているので、連続して入力される信号の増幅または減衰が可能であるとともに、高い線形性を実現することが出来る。
【０１４４】
なお、テレビやラジオ等の放送周波数は４５ＭＨｚ以上の周波数であり、テレビやラジオ等に用いるチューナの可変利得増幅器に、本実施形態に係る可変利得増幅回路１０ａ，１０ｂを用いてもよい。こうすることで、受信状況に応じて大きく受信信号が変動した場合においても、映像が途切れることなく受像することが可能となる。
【０１４５】
以上のように、本実施形態４に係る可変容量減衰器１１＿４では、トランジスタスイッチＳｍ’を適切にＯＮまたはＯＦＦすることにより、可変容量減衰器１１＿４の合成静電容量を変化させて、可変容量減衰器１１＿４の減衰量を可変させることが出来る。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４７】
本発明の可変利得増幅回路は、テレビ放送を受信するテレビに適用することが出来る。特に、ケーブルや電波を用いたテレビ放送を受信するテレビに好適に用いることが出来る。
【符号の説明】
【０１４８】
１０ａ，１０ｂ  可変利得増幅回路
２  単位回路（第１可変利得増幅部）
３  単位回路（第２可変利得増幅部）
４’  容量群
４ａ，４ｂ  容量（直流電圧除去容量）
５ｍ  容量切替回路
１１  容量減衰器
１１＿３，１１＿４  可変容量減衰器
１１ａ，１１ｂ  容量（減衰容量）
５０ａ  ＡＧＣ回路（自動利得制御回路）
５０ｂ  ＲＳＳＩ回路（比較回路）
Ｃ０，Ｃｍ，Ｃｍａ，Ｃｍｂ，Ｃｍｃ  容量
Ｉ３１，Ｉ３２  一定電流源（電流源）
Ｍ０〜Ｍｋ−１  トランジスタ差動対（トランジスタ群）
Ｒ１１  抵抗（第１抵抗）
Ｒ１２  抵抗（第２抵抗）
ＳＡ  増幅後信号
Ｓｍ  スイッチングトランジスタ
Ｓｍ’  トランジスタスイッチ
Ｓｗ０〜Ｓｗｋ−１  スイッチ回路
Ｖ１１，Ｖ１２  バイアス電圧
【図１】
2012253685.tif 000003
【図２】
2012253685.tif 000004
【図３】
2012253685.tif 000005
【図４】
2012253685.tif 000006
【図５】
2012253685.tif 000007
【図６】
2012253685.tif 000008
【図７】
2012253685.tif 000009
【図８】
2012253685.tif 000010
【図９】
2012253685.tif 000011
【図１０】
2012253685.tif 000012
【図１１】
2012253685.tif 000013
【図１２】
2012253685.tif 000014
【図１３】
2012253685.tif 000015
【図１４】
2012253685.tif 000016
【図１５】
2012253685.tif 000017
【図１６】
2012253685.tif 000018
【図１７】
2012253685.tif 000019
【図１８】
2012253685.tif 000020